【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
少なくとも一種の共役ジエンから得られる線状ジエンエラストマーであって、環状ビニル単位を１５％以上の質量含有率で含み、１０，０００〜３００，０００ｇ／ｍｏｌの範囲内に入る数平均分子量を有する事を特徴とするエラストマー。
【請求項２】
前記数平均分子量が、６０，０００〜３００，０００ｇ／ｍｏｌの範囲内に入る、請求項１に記載の線状ジエンエラストマー。
【請求項３】
前記数平均分子量が、１００，０００〜３００，０００ｇ／ｍｏｌの範囲内に入る、請求項２に記載の線状ジエンエラストマー。
【請求項４】
前記環状ビニル単位の質量含有率が２０％以上である、請求項１〜３のいずれか一項に記載の線状ジエンエラストマー。
【請求項５】
共役ジエンから得られる単位の質量画分を３０％より多く含む、請求項１〜４のいずれか一項に記載の線状ジエンエラストマー。
【請求項６】
ブタジエンホモポリマー又はブタジエンとビニル芳香族化合物とのコポリマーから成る、請求項５に記載の線状ジエンエラストマー。
【請求項７】
前記数平均分子量が、１０，０００〜３０，０００ｇ／ｍｏｌの範囲内に入り、前記環状ビニル単位の質量含有率が３５％以上である、請求項１に記載の線状ジエンエラストマー。
【請求項８】
少なくとも一種の共役ジエンから得られる、請求項１〜７のいずれか一項に記載の線状ジエンエラストマーと分岐剤との反応によって得る事のできる分岐ジエンエラストマーであって、環状ビニル単位を１５％以上の質量含有率で含み、３０，０００〜３５０，０００ｇ／ｍｏｌの範囲内に入る数平均分子量を有する事を特徴とするエラストマー。
【請求項９】
前記数平均分子量が、１５０，０００〜３５０，０００ｇ／ｍｏｌの範囲内に入る、請求項８に記載の分岐ジエンエラストマー。
【請求項１０】
前記環状ビニル単位の質量含有率が２０％以上である、請求項８又は９に記載の分岐ジエンエラストマー。
【請求項１１】
共役ジエンから得られる単位の質量画分を３０％より多く含む、請求項８〜１０のいずれか一項に記載の分岐ジエンエラストマー。
【請求項１２】
ブタジエンのホモポリマー又はブタジエンとビニル芳香族化合物とのコポリマーから成る、請求項１１に記載の分岐ジエンエラストマー。
【請求項１３】
少なくとも一種の共役ジエンから得られる線状又は分岐ジエンエラストマーの製造方法であって、前記エラストマーが環状ビニル単位を１５％以上の質量含有率で含み、任意の分岐化前に、１０，０００〜６０，０００ｇ／ｍｏｌの範囲内に入る数平均分子量を有するエラストマーの製造方法において、不活性脂肪族又は脂環式炭化水素溶媒中で、少なくとも一種の共役ジエンモノマーと、有機リチウム開始剤と二種以上のヘテロ原子を含む極性剤とを含む触媒系であって極性剤：開始剤のモル比が８より大きい触媒系との非連続反応による、少なくとも一種の共役ジエンモノマーを含む一種以上のモノマーのアニオン重合を含む事を特徴とする方法。
【請求項１４】
少なくとも一種の共役ジエンから得られる線状又は分岐ジエンエラストマーの製造方法であって、前記エラストマーが環状ビニル単位を１５％以上の質量含有率で含み、任意の分岐化前に、１０，０００〜１００，０００ｇ／ｍｏｌの範囲内に入る数平均分子量を有するエラストマーの製造方法において、不活性脂肪族又は脂環式炭化水素溶媒中で、少なくとも一種の共役ジエンモノマーと、有機リチウム開始剤と二種以上のヘテロ原子を含む極性剤とを含む触媒系であって、前記触媒系が、
（ｉ）極性剤：開始剤のモル比が３以上である、
関係を満足する触媒系との連続反応による、少なくとも一種の共役ジエンモノマーを含む一種以上のモノマーのアニオン重合を含む事を特徴とする方法。
【請求項１５】
少なくとも一種の共役ジエンから得られる線状又は分岐ジエンエラストマーの製造方法であって、前記エラストマーが環状ビニル単位を１５％以上の質量含有率で含み、任意の分岐化前に、１０，０００〜３００，０００ｇ／ｍｏｌの範囲内に入る数平均分子量を有するエラストマーの製造方法において、不活性脂肪族又は脂環式炭化水素溶媒中で、少なくとも一種の共役ジエンモノマーと、有機リチウム開始剤、二種以上のヘテロ原子を含む極性剤及び脂肪族又は脂環式アルコールのアルカリ金属塩とを含む触媒系であって、前記触媒系が、以下の三つの条件、
（ｉ）極性剤：開始剤のモル比が３以上であり、
（ｉｉ）金属塩：開始剤のモル比が０．０１〜２の範囲内に入り、且つ、
（ｉｉｉ)  金属塩：極性剤のモル比が０．００１〜０．５の範囲内に入る
事を同時に満足する触媒系との連続反応による、少なくとも一種の共役ジエンモノマーを含む一種以上のモノマーのアニオン重合を含む事を特徴とする方法。
【請求項１６】
極性剤：開始剤のモル比が５以上である、請求項１４又は１５に記載の線状又は分岐ジエンエラストマーの製造方法。
【請求項１７】
極性剤：開始剤のモル比が１０以上である、請求項１６に記載の線状又は分岐ジエンエラストマーの製造方法。
【請求項１８】
極性剤：開始剤のモル比が１５以上である、請求項１７に記載の線状又は分岐ジエンエラストマーの製造方法。    
【請求項１９】
金属塩：極性剤のモル比が、０．００１〜０．１の範囲内に入る、請求項１５〜１８のいずれか一項に記載の線状又は分岐ジエンエラストマーの製造方法。
【請求項２０】
金属塩：開始剤のモル比が、０．０１〜０．６の範囲内に入る、請求項１５〜１９のいずれか一項に記載の線状又は分岐ジエンエラストマーの製造方法。
【請求項２１】
金属塩：開始剤のモル比が、０．０１〜０．２の範囲内に入る、請求項２０に記載の線状又は分岐ジエンエラストマーの製造方法。
【請求項２２】
金属塩：開始剤のモル比が、０．３〜０．６の範囲内に入る、請求項２１に記載の線状又は分岐ジエンエラストマーの製造方法。
【請求項２３】
前記極性剤がジアミン及びジエーテルから成る群に属する、請求項１３〜２２のいずれか一項に記載の線状又は分岐ジエンエラストマーの製造方法。
【請求項２４】
前記極性剤がテトラメチルエチレンジアミンである、請求項２３に記載の線状又は分岐ジエンエラストマーの製造方法。
【請求項２５】
前記金属塩が、３〜１２個の炭素原子を有する脂肪族アルコールのナトリウム塩である、請求項１５〜２４のいずれか一項に記載の線状又は分岐ジエンエラストマーの製造方法。
【請求項２６】
前記重合の生成物とカップリング剤又は星状化剤を反応させて前記分岐ジエンエラストマーを得る事を更に含む、請求項１３〜２５のいずれか一項に記載の分岐ジエンエラストマーの製造方法。
【請求項２７】
不活性脂肪族又は脂環式炭化水素溶媒中で一種以上の共役ジエンの連続又は非連続アニオン重合によって、環状ビニル単位を１５％以上の質量含有率で含み、１０，０００〜６０，０００ｇ／ｍｏｌの範囲内に入る数平均分子量を有する線状ジエンエラストマーを製造するのに使用可能な触媒系であって、有機リチウム開始剤と二種以上のヘテロ原子を含む極性剤とを含み、極性剤：開始剤のモル比が８より大きい事を特徴とする触媒系。
【請求項２８】
極性剤：開始剤のモル比が１０以上である、請求項２７に記載の触媒系。
【請求項２９】
極性剤：開始剤のモル比が１５以上である、請求項２８に記載の触媒系。
【請求項３０】
不活性脂肪族又は脂環式炭化水素溶媒中で一種以上の共役ジエンの連続又は非連続アニオン重合によって、請求項１〜７のいずれか一項に記載の線状ジエンエラストマーを製造するのに使用可能な触媒系であって、有機リチウム開始剤、二種以上のヘテロ原子を含む極性剤及び脂肪族又は脂環式アルコールのアルカリ金属塩とを含み、前記触媒系が、以下の三つの条件、
（ｉ）極性剤：開始剤のモル比が８より大きく、
（ｉｉ）金属塩：開始剤のモル比が０．０１〜２の範囲内に入り、且つ、
（ｉｉｉ)  金属塩：極性剤のモル比が０．００１〜０．５の範囲内に入る
事を同時に満足する触媒系。
【請求項３１】
金属塩：開始剤のモル比が、０．０１〜０．２又は０．３〜２の範囲内に入り、金属塩：極性剤のモル比が、０．００１〜０．１の範囲内に入る、請求項３０に記載の触媒系。
【請求項３２】
金属塩：開始剤のモル比が、０．０１〜０．２の範囲内に入る、請求項３１に記載の触媒系。
【請求項３３】
金属塩：開始剤のモル比が、０．３〜０．６の範囲内に入る、請求項３１に記載の触媒系。
【請求項３４】
前記極性剤がジアミン及びジエーテルから成る群に属する、請求項２７〜３３のいずれか一項に記載の触媒系。
【請求項３５】
前記極性剤がテトラメチルエチレンジアミンである、請求項３４に記載の触媒系。
【請求項３６】
前記金属塩が、３〜１２個の炭素原子を有する脂肪族アルコールのナトリウム塩である、請求項３０〜３５のいずれか一項に記載の触媒系。